(57)【要約】    【課題】  ダイレクトメールなどの提案情報を顧客の状況（ステータス）に基づいて適切に出力する理美容院用支援方法、理美容院用支援プログラム及び理美容院用支援システムを提供する。    【解決手段】  顧客の利用実績情報を記憶した利用実績記憶手段を参照し、前記顧客の利用実績に基づいて顧客のステータスを求め、顧客への提案情報を記憶した提案情報記憶手段から前記ステータスと対応する提案情報を抽出し、前記提案情報を出力する。【選択図】          図１
2005293130.tif 000002
【特許請求の範囲】
【請求項１】
顧客の利用実績情報を記憶した利用実績記憶手段を参照し、前記顧客の利用実績に基づいて顧客のステータスを求めるステップと、
顧客への提案情報を記憶した提案情報記憶手段から前記ステータスと対応する提案情報を抽出するステップと、
前記提案情報を出力するステップと、
をコンピュータが実行する理美容院用支援方法。
【請求項２】
前記利用実績記憶手段が、会員となっている顧客の会員情報を記憶した会員情報データベースと、顧客の利用に応じたポイントを記憶したポイントデータベースとを備え、
前記会員情報データベースの会員情報及び／又はポイントデータベースのポイントを参照してステータスを決定することを特徴とする請求項１に記載の理美容院用支援方法。
【請求項３】
顧客の会員証に記載されたバーコード、及び該顧客が施術されたサービスに割り当てられたバーコードを読み取って該顧客の利用実績情報として前記利用実績記憶手段に記憶する請求項１又は２に記載の理美容院用支援方法。
【請求項４】
前記利用実績記憶手段が、利用実績情報として施術を受けた顧客の髪の情報を記憶し、
前記髪の情報に基づいてステータスを求める請求項１から３の何れかに記載の理美容院用支援方法。
【請求項５】
前記提案情報を出力するステップにて、前記提案情報をダイレクトメールとして出力する請求項１から４の何れかに記載の理美容院用支援方法。
【請求項６】
顧客の利用実績情報を記憶した利用実績記憶手段を参照し、前記顧客の利用実績に基づいて顧客のステータスを求めるステップと、
顧客への提案情報を記憶した提案情報記憶手段から前記ステータスと対応する提案情報を抽出するステップと、
前記提案情報を出力するステップと、
をコンピュータに実行させる理美容院用支援プログラム。
【請求項７】
前記利用実績記憶手段が、会員となっている顧客の会員情報を記憶した会員情報データベースと、顧客の利用に応じたポイントを記憶したポイントデータベースとを備え、
前記会員情報データベースの会員情報及び／又はポイントデータベースのポイントを参照してステータスを決定することを特徴とする請求項６に記載の理美容院用支援プログラム。
【請求項８】
顧客の会員証に記載されたバーコード、及び該顧客が施術されたサービスに割り当てられたバーコードを読み取って該顧客の利用実績情報として前記利用実績記憶手段に記憶する請求項６又は７に記載の理美容院用支援プログラム。
【請求項９】
前記利用実績記憶手段が、利用実績情報として施術を受けた顧客の髪の情報を記憶し、
前記髪の情報に基づいてステータスを求める請求項６から８の何れかに記載の理美容院用支援プログラム。
【請求項１０】
前記提案情報を出力するステップにて、前記提案情報をダイレクトメールとして出力する請求項６から９の何れかに記載の理美容院用支援プログラム。
【請求項１１】
顧客の利用実績情報を記憶した利用実績記憶手段と、
顧客への提案情報を記憶した提案情報記憶手段と、
前記顧客の利用実績に基づいて顧客のステータスを求めるステータス決定手段と、
前記ステータスに基づいて前記提案情報記憶手段から顧客への提案情報を抽出する抽出手段と、
前記抽出手段で抽出した提案情報を出力する出力手段と、
を備えたことを特徴とする理美容院用支援システム。
【請求項１２】
前記利用実績記憶手段が、会員となっている顧客の会員情報を記憶した会員情報データベースと、顧客の利用に応じたポイントを記憶したポイントデータベースとを備え、
前記ステータス決定手段が、前記会員情報データベースの会員情報及び／又はポイントデータベースのポイントを参照してステータスを決定する請求項１１に記載の理美容院用支援システム。
【請求項１３】
バーコード情報を読み取るバーコード情報入力手段を備え、
顧客の会員証に記載されたバーコード、及び該顧客が施術されたサービスに割り当てられたバーコードを読み取って該顧客の利用実績情報として利用実績記憶手段に記憶する請求項１１又は１２に記載の理美容院用支援システム。
【請求項１４】
前記利用実績記憶手段が、利用実績情報として施術を受けた顧客の髪の情報を記憶し、
前記ステータス決定手段が、前記髪の情報に基づいてステータスを求める請求項１１から１３の何れかに記載の理美容院用支援システム。
【請求項１５】
前記出力手段が、前記提案情報を掲載したダイレクトメールを出力する請求項１１から１４の何れかに記載の理美容院用支援システム。
【発明の詳細な説明】
【技術分野】
【０００１】
本発明は、理美容院における情報の管理を支援する理美容院用支援方法、支援プログラム、支援システムに関するものである。
【背景技術】
【０００２】
理美容院において収益を増加させるためには、顧客一人当たりの費用（客単価）を増加させることや、一度来店した顧客が再び来店する割合である顧客のリピート率を向上させることが重要である。
【０００３】
従来、前記客単価を増加させるためには、顧客にカットやパーマだけでなく、カラーやトリートメント、アロマテラピー、理美容用品の販売等、付加サービスを提案することが行われていた。
【０００４】
しかし、このような付加サービスを顧客が利用するか否かは、顧客の嗜好に依るところが大きく、顧客のニーズに合ったサービスを適切に提案する必要があった。
【０００５】
また、美容業界において顧客は、一つの店舗になかなか定着せず、複数の店舗を利用する傾向があるため、そのような顧客のリピート率を向上させる手段の一つとしてダイレクトメールが広く利用されている。
【０００６】
このダイレクトメールは、通常、店舗名、店舗の所在地、地図、あるいはカット、パーマ、カラーなどの料金のほか、サービス日、ダイレクトメールを持参した顧客への特典、様々な企画などが掲載されており、顧客が当該店舗に興味を引くようになされている。
【０００７】
しかしながら、上述のダイレクトメールの送付は、顧客全員に対して店舗側が任意に定めた日に一斉に行うものであるため、例えば、顧客が来店した直後にダイレクトメールが届いたり、あるいは顧客が来店を希望するよりもかなり前にダイレクトメールが届いたりするなど、必要の無いタイミングで届くことがあるという問題があった。
【０００８】
このため、顧客の来店日を記憶し、この来店日から所定日数経過後を来店予定日として算出し、この来店予定日に対応させてダイレクトメールを印刷出力することにより、適度なタイミングでダイレクトメールを発行できるようにした予定日算出装置が提案されている（特許文献１参照）。
【０００９】
また、従来は、顧客が来店してから、スタイリストが顧客の希望を聞いて施術内容を決めるのが一般的であった。しかし、言葉で説明しただけでは、施術内容を適切にイメージすることが難しいため、顧客の顔をコンピュータに取り込んで流行のヘアスタイルとマッチングすることによりカウンセリングを行う装置も提案されている（特許文献２参照）。
【００１０】
特に、近年、ヘアスタイルも多様化しており、美容院側が用意しているカラーやスタイリストが得意とするヘアスタイルが顧客の好みと異なる場合もあった。
【００１１】
このため、美容院の情報を予めデータベースに登録しておき、このデータベースから希望の条件に合致した美容院を索出して選択できるようにしたシステムも提案されている（特許文献３）。
【特許文献１】特開２００２−１３３０７８号公報
【特許文献２】特開２００２−０１５０５６号公報
【特許文献３】特開２００１−３４４４９２号公報
【発明の開示】
【発明が解決しようとする課題】
【００１２】
上記の予定日算出装置では、顧客の来店日から起算して次の来店予定日を求めており、この間の日数はカットで３０日、パーマで６０日のように決定されていた。
【００１３】
しかし、顧客のニーズは様々であり、次の来店までの日数を一律に決定できるものではなく、ダイレクトメールを適切なタイミングで配信できないという問題点があった。
【００１４】
また、顧客が希望するヘアスタイルについては、来店してからカウンセリングを行ったり、データベースを検索したりする必要があり、ダイレクトメールに反映させることはできなかった。
【００１５】
このため従来のダイレクトメールは、顧客が希望に沿った施術を受けられるのか否かを判断できるものではなかった。
【００１６】
本発明は、このような従来技術の問題点に鑑みてなされたものである。即ち、本発明の課題は、ダイレクトメールなどの提案情報を顧客の状況（ステータス）に基づいて適切に出力する技術の提供である。
【課題を解決するための手段】
【００１７】
本発明は、上記課題を解決するために、以下の手段を採用した。即ち、本発明の理美容院用支援方法、理美容院用支援プログラム及び理美容院用支援システムは、
顧客の利用実績情報を記憶した利用実績記憶手段を参照し、前記顧客の利用実績に基づいて顧客のステータスを求め、
顧客への提案情報を記憶した提案情報記憶手段から前記ステータスと対応する提案情報を抽出し、
前記提案情報を出力する。
【００１８】
また、本発明は、前記利用実績記憶手段が、会員となっている顧客の会員情報を記憶した会員情報データベースと、顧客の利用に応じたポイントを記憶したポイントデータベースとを備え、
前記会員情報データベースの会員情報及び／又はポイントデータベースのポイントを参照してステータスを決定しても良い。
【００１９】
更に、本発明は、顧客の会員証に記載されたバーコード、及び該顧客が施術されたサービスに割り当てられたバーコードを読み取って該顧客の利用実績情報として前記利用実績記憶手段に記憶しても良い。
【００２０】
更に、本発明は、前記利用実績記憶手段が、利用実績情報として施術を受けた顧客の髪の情報を記憶し、
前記髪の情報に基づいてステータスを求めても良い。
【００２１】
更に、本発明は、前記提案情報を出力するステップにて、前記提案情報をダイレクトメールとして出力しても良い。
【発明の効果】
【００２２】
以上、説明したように本発明によれば、ダイレクトメールなどの提案情報を顧客の状況
（ステータス）に基づいて適切に出力する技術を提供できる。
【発明を実施するための最良の形態】
【００２３】
以下、本発明の実施の形態について添付図面を参照して説明する。
【００２４】
〈実施形態１〉
図１は、本発明に係る理美容院用システムを店内に配置した場合のレイアウト図、図２は、本システムのブロック図である。
【００２５】
本実施形態の理美容引用システムは、ホストコンピュータ１、入力端末２、モニタ３、デジタルカメラ４、プリンタ５がネットワークＮを介して接続された構成となっている。
【００２６】
ホストコンピュータ１は、後述のように顧客への提案情報を求めて、モニタ３やプリンタ５などに出力している。
【００２７】
ネットワークＮは、有線のネットワークＮａと無線のネットワークＮｂとからなっている。なお、デジタルカメラ４は、ＵＳＢケーブル等でホストコンピュータ１に接続して画像データをホストコンピュータ１に入力しているが、メモリカード等の記憶媒体を介してホストコンピュータ１に画像を入力するようにしても良い。
【００２８】
入力端末２は、来店した顧客の会員証等のバーコードを読み取ってホストコンピュータに送信する。
【００２９】
顧客用モニタ３は、ＩＥＥＥ８０２．１１ａに準拠する無線のネットワークＮｂを介してホストコンピュータ１と接続され、店内での移動が可能となっている。
【００３０】
プリンタ５は、ホストコンピュータ１からの提案情報をダイレクトメールやカルテ等として印刷出力する。
【００３１】
図３は、ホストコンピュータ１の概略構成図である。同図に示すように、ホストコンピュータ１は、本体１１内にＣＰＵ（central processing unit）やメインメモリ等よりな
る演算処理部１２、演算処理の為のデータやソフトウェアを記憶した記憶装置（ハードディスク）１３、入出力部１４、通信制御装置（ＣＣＵ：Communication Control Unit）１５等を備えている。
【００３２】
入出力部１４は、キーボードやマウス、バーコードリーダ（バーコード情報入力手段）２ａ等の入力デバイス、表示装置やプリンタ等の出力デバイスが適宜接続される。
【００３３】
ＣＣＵ１５は、ネットワークを介して他のコンピュータ２やモニタ３、プリンタ５等と通信を行うものである。
【００３４】
記憶装置１３には、オペレーティングシステム（ＯＳ）やアプリケーションソフト（理美容院用支援プログラム）がインストールされている。また、該記憶装置１３には、会員となっている顧客の会員情報を記憶した会員情報データベースと、顧客の利用に応じたポイントを記憶したポイントデータベース、顧客への提案情報を記憶した提案情報データベース（提案情報記憶手段に相当）、利用履歴データベース（利用実績記憶手段に相当）が構築されている。
【００３５】
会員情報データベースは、図４に示すように、会員情報として、会員氏名、年齢、住所、電子メールアドレス、ＦＡＸ番号、会員種別等の情報を会員ＩＤと対応付けて記憶して
いる。該会員種別とは、図５に示すように、シングル会員、ファミリー会員、平日会員、モーニング会員、ナイト会員、非会員（ビジター）等の別であり、それぞれ、月会費、利用料、利用時間が決まっており、記憶装置１３に記憶されている。図６は、会員証６の例であり、会員ＩＤを示すバーコード６ａが記載されている。なお、本実施形態では、非会員に対しても会員証及び会員ＩＤを発行し、ビジター料金（割引無しの価格）で利用できるようにしている。このビジターの情報も会員ＩＤと対応付けて会員情報データベースに記憶される。また、会員が所定の利用時間外に利用する場合にもビジター料金とする。
【００３６】
ポイントデータベースは、図７に示すように、会員ＩＤとポイント数とを対応付けて記憶している。
【００３７】
提案情報データベースは、図８に示すように、提案情報としてヘアスタイルの画像や、サービスの説明を記載したＨＴＭＬファイル等をステータス情報と対応付けて記憶している。
【００３８】
利用履歴データベースは、図９に示すように、履歴情報として、顧客が過去に利用した際の施術内容、施術日、施術した技術者ＩＤ、施述後画像等の情報を会員ＩＤと対応付けて記憶している。
【００３９】
また、演算処理部１２は、前記理美容院用支援プログラムに従う演算処理により、ステータス決定手段や、抽出手段、出力手段等の機能を実現している。
【００４０】
該演算処理部１２は、ステータス決定手段の機能として、前記顧客の利用実績に基づいて顧客のステータスを求める。
【００４１】
また、演算処理部１２は、抽出手段の機能として、前記ステータスに基づいて前記提案情報記憶手段から顧客への提案情報を抽出する。
【００４２】
そして、出力手段の機能として、前記抽出手段で抽出した提案情報をモニタ３やプリンタ５、或はインターネット等のネットワークを介して他のコンピュータに出力する。
【００４３】
〈理美容院用支援方法〉
次に上記システムにおいて理美容院用支援プログラムに従って実行する理美容院用支援方法について図１０を用いて説明する。
【００４４】
先ず、顧客が来店すると、会員カード６のバーコード６ａを入力端末２バーコードリーダ２ａで読み取り、読み取った会員ＩＤの情報をホストコンピュータに送信する。また、デジタルカメラ４で、施術前の顧客を撮影し、この施術前画像情報をホストコンピュータ１に入力する。そして、顧客にアンケートに答えて貰い、その回答をホストコンピュータ１に入力する。
【００４５】
ホストコンピュータ１は、利用履歴データベースに、この会員ＩＤと来店日（施術日）と施術前画像とアンケートの回答とを対応つけて記憶する（Ｓ１）。
【００４６】
ホストコンピュータ１は、利用履歴データベースから、この会員ＩＤと対応する履歴情報として施術後画像及びこの施術日を所定数索出し、前記施術前データと共にモニタ３に送信し、図１１に示すように前回の施術後データと前記施術前データとを対比して当該顧客のカルテとして表示させる（Ｓ２）。
【００４７】
技術者はこの画像を顧客に見せながら、今回の施術内容について顧客と打合せを行う。
このとき、モニタ３の画面をタッチすることや、操作ボタン３ａを操作することにより、前記顧客のカルテに入力することができる。例えば図１２のように顧客の施術前画像上に施術内容４２を書き込むこともできる。これらの入力情報は、モニタ３からホストコンピュータ１へ無線で送られ、ホストコンピュータ１は、これを利用実績情報として利用履歴データベースに記憶する。
【００４８】
モニタ３が、この施術内容をホストコンピュータ１に送信し、ホストコンピュータ１は、この施術内容を利用履歴データベースへ記憶する（Ｓ３）。
そして技術者は、カット、パーマ、カラー等の施術を開始する。
【００４９】
この施術の間に、ホストコンピュータ１は、ステータス決定手段の機能により顧客のステータスを求める。
【００５０】
例えば、ホストコンピュータ１は、会員情報データベース、利用履歴データベース及びポイントデータベースを参照し、会員種別、過去の利用回数、時間外に利用した回数、３ヶ月以内にカラーを行ったか否か、２ヶ月以内にトリートメントを行ったか否か、理美容用品を購入してからの経過日数、ポイント数を現在情報として求め、以下のような所定の条件に応じてステータス情報を求める（Ｓ４）。
【００５１】
１）現在の会員種別がビジターで過去の利用回数が複数回の場合には、入会案内を要求する情報をステータス情報とする。
２）時間外に利用した回数が所定数以上の場合には、会員種別変更の案内を要求する情報をステータス情報とする。
３）理美容用品を購入してからの経過日数が所定値以上の場合に当該理美容用品の案内を要求する情報をステータス情報とする。但し、拮抗するサービスがあり、所定日数以内に該サービスが行われている場合、当該理美容用品の案内を要求しない、即ちステータス情報を求めない。
例えば、シャンプーを購入してから、２ヶ月を経過している場合には、このシャンプーの案内を要求する。
また、トリートメントを購入してから、３ヶ月を経過している場合には、このトリートメントの案内を要求する。但し、拮抗するサービスであるトリートメントの施術を２ヶ月以内に行っている場合には、該トリートメントの案内を要求しない。
同様に、ヘアカラーを購入してから、３ヶ月を経過している場合には、このヘアカラーの案内を要求する。但し、拮抗するサービスであるカラーの施術を３ヶ月以内に行っている場合には、該ヘアカラーの案内を要求しない。
４）現在のポイント数で上記理美容用品と交換が可能であれば、交換可能な用品の案内を要求する情報をステータス情報とする。
【００５２】
そして、ステータス決定手段は、このようにして求めたステータス情報を抽出手段に通知する（Ｓ５）。
【００５３】
抽出手段は、提案情報データベース（提案情報記憶手段）から前記ステータス情報と対応する提案情報を抽出する。
【００５４】
例えば条件３）でシャンプーの案内を要求するステータス情報と、シャンプーがポイントで交換可能であることの案内を要求するステータス情報が通知された場合、これと対応する画像やＨＴＭＬのファイルが抽出される。
【００５５】
また、ホストコンピュータ１の出力手段は、この抽出された提案情報を画像情報としてモニタ３に出力する。
【００５６】
図１３は、このポイント交換可能であることを示すＨＴＭＬによって表示されたウインドウ３１内にシャンプーの案内画像３２が表示された例を示している（Ｓ６）。
【００５７】
また、ホストコンピュータ１は、ＣＣＵ１５を介してブロードバンドで接続したインターネット（不図示）の情報や、テレビ映像、ＤＶＤによる映画などをモニタ３に提供する。
【００５８】
そして、施術が終了すると、技術者は、デジタルカメラ４で顧客を撮影し、施術後データとしてホストコンピュータ１に入力する。
【００５９】
また、技術者は、図１４に示すような施術内容、理美容用品、技術者に割り当てられたバーコードの一覧表（バーコードメニュー）を用い、施術した内容や、販売した理美容用品、施術した技術者のバーコードを入力端末２で読み取って、ホストコンピュータ１に入力する。
【００６０】
ホストコンピュータ１は、これらの施術後画像、施術した内容、販売した理美容用品、施術した技術者の情報を利用実績情報として前記顧客ＩＤ及び来店日（施術日）と対応付けて利用履歴データベースに記憶する（Ｓ７）。
【００６１】
更に、本実施形態の理美容院用システムは、会員情報データベース、利用履歴データベース及びポイントデータベースの情報に基づいて顧客のステータスを求め、このステータスに応じた提案情報をダイレクトメールとして出力する（図１５）。
先ず技術者が、ダイレクトメール送信の指示をホストコンピュータ１に入力すると、ホストコンピュータ１は、ステータス決定手段の機能により上記データベースを参照し、以下のような所定の条件に応じて顧客のステータスを求める（Ｓ１１）。
【００６２】
１）アンケートで、興味があると答えた場合、興味の対象と対応付けたものの情報をステータス情報とする。
例えば、「エクステンションに興味がありますか？」の質問に「ある」と答えた場合に、エクステンションを使用したスタイルを要求する情報をステータス情報とする。また、「南方の国への興味がありますか？」の質問に「ある」と答えた場合に、ドラッドヘアーの施術例を要求する情報をステータス情報とする。
２）所有するポイントが所定以上であれば、ポイントを利用可能なサービスの案内を要求する情報をステータス情報とする。
３）前回の施術内容が、カラーやパーマであった場合には、トリートメントの施術を案内する情報や、ダメージヘア用のシャンプー、コンディショナー、トリートメントの販売を案内する情報をステータス情報とする。
４）前回の施術内容が、カラーやパーマであった場合には、同系色のカラーの施術例を要求する情報や、同様のパーマの施術例を要求する情報をステータス情報とする。
５）理美容用品を購入してからの経過日数が所定値以上の場合に当該理美容用品の案内を要求する情報をステータス情報とする。但し、拮抗するサービスがあり、所定日数以内に該サービスが行われている場合、当該理美容用品の案内を要求しない、即ちステータス情報を求めない。
【００６３】
次に、ステータス決定手段は、このようにして求めたステータスの情報とその顧客の会員ＩＤとを抽出手段に通知する（Ｓ１２）。
【００６４】
抽出手段は、提案情報データベースから前記ステータス情報と対応する提案情報としてダイレクトメールに掲載する画像を抽出する（Ｓ１３）。この前記ステータス情報と対応
する提案情報は、ステータス情報で要求された施術例やサービスの案内であり、予め記憶装置１３等に記憶しておく。なお、抽出する提案情報は、１つに限らず、複数抽出しても良い。該抽出手段は、この抽出した提案情報と該顧客の会員ＩＤとを出力手段に通知する（Ｓ１４）。
【００６５】
そして、ホストコンピュータ１の出力手段は、該会員ＩＤと対応する顧客の住所、電子メールアドレス、ＦＡＸ番号等の宛先を会員情報データベースから求め、この宛先へ前記提案情報をダイレクトメールとして出力する。このダイレクトメールの出力は、前記顧客の住所と提案情報を記載した葉書をプリンタ５から出力し、これを技術者等が郵送するものでも良いし、前記電子メールアドレスやＦＡＸ番号宛に電子メール或はＦＡＸで送信するものでも良い（Ｓ１５）。
【００６６】
図１６は、この提案情報としてヘアスタイルの画像４１と該ヘアスタイルに係るメッセージ４２を記載した葉書（ダイレクトメール）の例である。
【００６７】
これにより顧客の利用履歴や髪の色等によるステータスに応じて適切なヘアスタイル（提案情報）を記載したダイレクトメールを送信することができる。
【００６８】
以上のように、本実施形態によれば、顧客の過去の利用状況（ステータス）に応じて適切な提案情報を顧客に提示できる。即ち、顧客が購入或は施術を受ける可能性の高い用品やサービスを提案できるので、収益の増加に繋げることができる。
【００６９】
〈その他の実施形態〉
本発明は、上述の図示例にのみ限定されるものではなく、本発明の要旨を逸脱しない範囲内において種々変更を加え得ることは勿論である。例えば、以下の構成であっても上述の実施形態と同様の効果が得られる。
【００７０】
また、以下の発明（以下付記と称す）の何れかに含まれる構成要素を他の付記の構成要素と組み合わせても良い。
【００７１】
（付記１）：
顧客の利用実績情報を記憶した利用実績記憶手段を参照し、前記顧客の利用実績に基づいて顧客のステータスを求めるステップと、
顧客への提案情報を記憶した提案情報記憶手段から前記ステータスと対応する提案情報を抽出するステップと、
前記提案情報を出力するステップと、
をコンピュータが実行する理美容院用支援方法。
【００７２】
（付記２）：
前記利用実績記憶手段が、会員となっている顧客の会員情報を記憶した会員情報データベースと、顧客の利用に応じたポイントを記憶したポイントデータベースとを備え、
前記会員情報データベースの会員情報及び／又はポイントデータベースのポイントを参照してステータスを決定することを特徴とする付記１に記載の理美容院用支援方法。
【００７３】
（付記３）：
顧客の会員証に記載されたバーコード、及び該顧客が施術されたサービスに割り当てられたバーコードを読み取って該顧客の利用実績情報として前記利用実績記憶手段に記憶する付記１又は２に記載の理美容院用支援方法。
【００７４】
（付記４）：
前記利用実績記憶手段が、利用実績情報として施術を受けた顧客の髪の情報を記憶し、
前記髪の情報に基づいてステータスを求める付記１から３の何れかに記載の理美容院用支援方法。
【００７５】
（付記５）：
前記提案情報を出力するステップにて、前記提案情報をダイレクトメールとして出力する付記１から４の何れかに記載の理美容院用支援方法。
（付記６）：
顧客の利用実績情報を記憶した利用実績記憶手段を参照し、前記顧客の利用実績に基づいて顧客のステータスを求めるステップと、
顧客への提案情報を記憶した提案情報記憶手段から前記ステータスと対応する提案情報を抽出するステップと、
前記提案情報を出力するステップと、
をコンピュータに実行させる理美容院用支援プログラム。
【００７６】
（付記７）：
前記利用実績記憶手段が、会員となっている顧客の会員情報を記憶した会員情報データベースと、顧客の利用に応じたポイントを記憶したポイントデータベースとを備え、
前記会員情報データベースの会員情報及び／又はポイントデータベースのポイントを参照してステータスを決定することを特徴とする付記６に記載の理美容院用支援プログラム。
【００７７】
（付記８）：
顧客の会員証に記載されたバーコード、及び該顧客が施術されたサービスに割り当てられたバーコードを読み取って該顧客の利用実績情報として前記利用実績記憶手段に記憶する付記６又は７に記載の理美容院用支援プログラム。
【００７８】
（付記９）：
前記利用実績記憶手段が、利用実績情報として施術を受けた顧客の髪の情報を記憶し、
前記髪の情報に基づいてステータスを求める付記６から８の何れかに記載の理美容院用支援プログラム。
【００７９】
（付記１０）：
前記提案情報を出力するステップにて、前記提案情報をダイレクトメールとして出力する付記６から１９に記載の理美容院用支援プログラム。
【００８０】
（付記１１）：
顧客の利用実績情報を記憶した利用実績記憶手段と、
顧客への提案情報を記憶した提案情報記憶手段と、
前記顧客の利用実績に基づいて顧客のステータスを求めるステータス決定手段と、
前記ステータスに基づいて前記提案情報記憶手段から顧客への提案情報を抽出する抽出手段と、
前記抽出手段で抽出した提案情報を出力する出力手段と、
を備えたことを特徴とする理美容院用支援システム。
【００８１】
（付記１２）：
前記利用実績記憶手段が、会員となっている顧客の会員情報を記憶した会員情報データベースと、顧客の利用に応じたポイントを記憶したポイントデータベースとを備え、
前記ステータス決定手段が、前記会員情報データベースの会員情報及び／又はポイントデータベースのポイントを参照してステータスを決定する付記１１に記載の理美容院用支
援システム。
【００８２】
（付記１３）：
バーコード情報を読み取るバーコード情報入力手段を備え、
顧客の会員証に記載されたバーコード、及び該顧客が施術されたサービスに割り当てられたバーコードを読み取って該顧客の利用実績情報として利用実績記憶手段に記憶する付記１１又は１２に記載の理美容院用支援システム。
【００８３】
（付記１４）：
前記利用実績記憶手段が、利用実績情報として施術を受けた顧客の髪の情報を記憶し、
前記ステータス決定手段が、前記髪の情報に基づいてステータスを求める付記１１から１３の何れかに記載の理美容院用支援システム。
【００８４】
（付記１５）：
前記出力手段が、前記提案情報を掲載したダイレクトメールを出力する付記１１から１４の何れかに記載の理美容院用支援システム。
【図面の簡単な説明】
【００８５】
【図１】本発明に係る理美容院用システムを店内に配置した場合のレイアウト図
【図２】本システムのブロック図
【図３】ホストコンピュータ１の概略構成図
【図４】会員情報データベースの説明図
【図５】会員種別の説明図
【図６】会員証の例を示す図
【図７】ポイントデータベースの説明図
【図８】提案情報データベースの説明図
【図９】利用履歴データベースの説明図
【図１０】理美容院用支援方法の説明図
【図１１】各顧客のカルテの表示例を示す図
【図１２】モニタ３の画面から入力した施術内容の例を示す図
【図１３】提案情報の表示例を示す図
【図１４】バーコードの一覧表を示す図
【図１５】理美容院用支援方法の説明図
【図１６】提案情報を記載した葉書（ダイレクトメール）の一例を示す図
【符号の説明】
【００８６】
１    ホストコンピュータ
２    入力端末
３    モニタ
４    デジタルカメラ
５    プリンタ
６    付記
６    会員カード（会員証）
６ａ  バーコード
１２  演算処理部
１３  記憶装置
１４  入出力部
３１  ウインドウ
３２  案内画像
４１  提案情報
Ｎ    ネットワーク
【図１】
2005293130.tif 000003
【図２】
2005293130.tif 000004
【図３】
2005293130.tif 000005
【図４】
2005293130.tif 000006
【図５】
2005293130.tif 000007
【図６】
2005293130.tif 000008
【図７】
2005293130.tif 000009
【図８】
2005293130.tif 000010
【図９】
2005293130.tif 000011
【図１０】
2005293130.tif 000012
【図１１】
2005293130.tif 000013
【図１２】
2005293130.tif 000014
【図１３】
2005293130.tif 000015
【図１４】
2005293130.tif 000016
【図１５】
2005293130.tif 000017
【図１６】
2005293130.tif 000018